(57)【要約】【課題】中栓の指掛け具の内面にリブを付設する代わりに指掛け具内面へ折り返す回動板にリブを付設して、簡単に成形でき、かつ確実に操作することができる容器用中栓を提供する。【解決手段】栓筒２の内側に横設した破断可能な仕切り板１０の一部から起立する支持片１４に、ほぼリング状の指掛け具１６を付設した、容器の口頸部へ装着用の中栓において、上記略リング状の指掛け具１６の周方向一部を、そのリング孔１８の孔軸Ｏ方向に一定幅を有する指係止部２０とし、この指係止部２０の孔軸方向両端２０ａ、２０ｂのうち一方から、屈曲部２２を介して、リング面の面外方向へ、このリング孔の孔面側への折り返しが可能な回動板２４を突出し、この回動板２４の外面に、上記折り返し状態でリング孔内方に位置するように、滑り止め用のリブ２６を形成した。【選択図】  図１
2008213860.tif 000002
【特許請求の範囲】
【請求項１】
栓筒２の内側に横設した破断可能な仕切り板１０の一部から起立する支持片１４に、ほぼリング状の指掛け具１６を付設した、容器の口頸部へ装着用の中栓において、
上記略リング状の指掛け具１６の周方向一部を、そのリング孔１８の孔軸方向Ｃ１に一定幅を有する指係止部２０とし、この指係止部２０の孔軸方向両端２０ａ、２０ｂのうち一方から、屈曲部２２を介して、リング開口面Ｓの面外方向Ｃへ、このリング孔の孔縁面１８ａ側への折り返しが可能な回動板２４を突出し、
この回動板２４の外面に、上記折り返し状態でリング孔内方に位置するように、滑り止め用のリブ２６を形成したことを特徴とする、容器用中栓。
【請求項２】
上記回動板２４を、指係止部２０の両端部20ａ、20ｂの一方から孔軸方向Ｃ１へ突出するとともに、回動板２４の内面及び指係止部２０の孔縁面１８ａ部分を、孔軸を含む切断面で見てなだらかに連続する平らな形に形成し、かつ少なくとも回動板２４と指掛け具１６を一体に成形したことを特徴とする、請求項１記載の容器用中栓。
【請求項３】
上記回動板２４及び指係止部２０を孔軸方向Ｃ１から見て同一の弧状に形成し、回動板２４がリング開口面の面外方向Ｃへの突出状態と指係止部２０の孔縁部分との重なり状態との間を弾性反転できるように回動板２４及び指掛け具１６を弾性材料で形成したことを特徴とする、請求項２記載の容器用中栓。
【請求項４】
上記回動板２４を、指係止部２０の両端部のうち仕切り板１０と反対側の端部２０ａから突出したことを特徴とする、請求項１から請求項３のいずれかに記載の容器用中栓。
【請求項５】
上記指係止部２０を、指掛け具１６のうち支持片１４との連結箇所と反対側に形成したことを特徴とする、請求項１から請求項４の何れかに記載の容器用中栓。
【発明の詳細な説明】
【技術分野】
【０００１】
本発明は、容器用中栓に関する。
【背景技術】
【０００２】
この種容器として、容器の口頸部に嵌合可能な栓筒の内側に破断可能な仕切り板を横設し、この仕切り板の後部から起立する支持片の上端から、リング状の指掛け具を前方突出したものが知られている（特許文献１）。
【特許文献１】特開２００５−１１２３８６号
【発明の開示】
【発明が解決しようとする課題】
【０００３】
従来技術の容器では、指掛け具に指をかけて引っ張ることで仕切り板を破断させるが、このときリング孔に指を掛けてから、リングを引き上げる際に、指掛け具に力を入れる前の段階でリング孔が滑って外れるおそれがある。指が指掛け具から滑らないようにするためには、滑り止め用のリブを付設することが効果的である。
【０００４】
ここで指と指掛け具とが強く触れ合う場所は指掛け具の内面であるため、滑り止め用のリブを付設するのであれば、指掛け具のリング孔内面に付設することになる。
【０００５】
しかし、この種の中栓は合成樹脂材で金型成型することが一般的であり、リング孔内面にリブを設けるには技術的制約が多い。即ち、指掛け具の部分を成形するだけでもリング孔の内面を形成する第１の金型部分と、指掛け具の外側を作る第２の金型部分とが必要となるが、リング孔にリブを形成すると第１の金型部分の抜き出しの支障となる恐れがある。即ち、ある程度大きなリブであると、普通に金型部分を抜き出すことができず、逆に金型の抜出しが容易な小さなリブであると、滑り止めの効果が小さい。
【０００６】
そこで本発明は、中栓の指掛け具の内面にリブを付設する代わりに指掛け具内面へ折り返す回動板にリブを付設して、簡単に成形でき、かつ確実に抜栓操作することができる容器用中栓を提供することを目的とする。
【課題を解決するための手段】
【０００７】
第１の手段は、栓筒２の内側に横設した破断可能な仕切り板１０の一部から起立する支持片１４に、ほぼリング状の指掛け具１６を付設した、容器の口頸部へ装着用の中栓において、
上記略リング状の指掛け具１６の周方向一部を、そのリング孔１８の孔軸方向Ｃ１に一定幅を有する指係止部２０とし、この指係止部２０の孔軸方向両端２０ａ、２０ｂのうち一方から、屈曲部２２を介して、リング開口面Ｓの面外方向Ｃへ、このリング孔の孔縁面１８ａ側への折り返しが可能な回動板２４を突出し、
この回動板２４の外面に、上記折り返し状態でリング孔内方に位置するように、滑り止め用のリブ２６を形成している。
【０００８】
本手段では、指掛け具の孔縁にリブを設ける代わりに、リング孔の内側へ折り返し可能なリブ付きの回動板を指掛け具に付設することを提案している。
【０００９】
「指掛け具」は、リング孔に指を掛けて引き上げて仕切り板を破断させるための手段である。「ほぼリング状」とあるのは、リングそのものの他、図６の如くＣ字形のものを含む意味である。その場合には、仕切り板の一側から隣り合う一対の支持片を起立し、これら各支持片をC字形の指掛け具の両端に連続させればよい。好適な図示例では、支持片の先端から水平方向に指掛け具を突出しているが、例えば斜め上方へ突出しても良い。
【００１０】
「指係止部」は、直接に、或いは回動板を介して間接に指を掛け、引っ張るための部分である。指係止部は、指を掛けるのに適した孔軸方向の幅及び周方向の長さを有している。
【００１１】
「回動板」は、成形時にリブを形成し易いようにリング孔の傍方へ、即ち、リング開口面Ｓの面外方向Ｃへ突出され、指掛け具を使用するときには、リング孔の孔縁側へ折り返すことができるように形成されている。面外方向Ｃとは、リング開口面Ｓに対して一定の角度をなす方向である。図１に示した面外方向Ｃの矢印は面外方向の一例である。面外方向は、リング開口面Ｓに垂直な方向（リング孔の孔軸方向Ｃ１）であってもよいが、リング孔縁側への折り返しに妨げとならない範囲で、孔軸方向Ｃ１と傾斜していても構わない。
【００１２】
第２の手段は、第１の手段を有し、かつ
上記回動板２４を、指係止部２０の両端部20ａ、20ｂの一方から孔軸方向Ｃ１へ突出するとともに、回動板２４の内面及び指係止部２０の孔縁面１８ａ部分を、孔軸を含む切断面で見てなだらかに連続する平らな形に形成し、かつ少なくとも回動板２４と指掛け具１６を一体に成形している。
【００１３】
本手段では、金型成形するときに、リング孔縁面を形成する内側の金型部分の抜出しが容易な回動板及び指係止部の内面形状を提案している。上記回動板の内面及び指係止部の内面をほぼ面一に形成することができる。
【００１４】
第３の手段は、第２の手段を有し、かつ
上記回動板２４及び指係止部２０を孔軸方向Ｃ１から見て同一の弧状に形成し、回動板２４がリング開口面の面外方向Ｃへの突出状態と指係止部２０の孔縁部分との重なり状態との間を弾性反転できるように回動板２４及び指掛け具１６を弾性材料で形成している。
【００１５】
本手段では、回動板を弾性反転可能に設け、その回動途中の死点位置を超えて押し込むと、回動板が自動的にリング孔の内面に重なるようにしている。この反転動作の中で回動板は、その先端側から見て（図４（Ａ）〜（Ｃ）のＤ１〜Ｄ３）正方向への弧状態“（”から、直線状態“｜”、逆方向への弧状態“）”へ順次変形する。指係止部は、死点位置を乗り越えることができる程度の長さに形成する。弾性材料と言ってもゴムのような弾性体である必要はなく、ポリエチレンやＰＰ、あるいはこれらと同程度の弾性を有する材料であれば足りる。
【００１６】
第４の手段は、第１の手段ないし第３の手段のいずれかを有し、かつ
上記回動板２４を、指係止部２０の両端部のうち仕切り板１０と反対側の端部２０ａから突出している。
【００１７】
第５の手段は、第１の手段ないし第４の手段のいずれかを有し、かつ
上記指係止部２０を、指掛け具１６のうち支持片１４との連結箇所と反対側に形成している。
【発明の効果】
【００１８】
第１の手段に係る発明によれば、指掛け具１６の孔縁面１８ａにリブを付設する代わりに、指掛け具の指係止部から突出した回動板２４に、折り返し状態でリング孔内方に位置するように滑り止め用のリブ２６を付設したから、リブを大きく形成することができる。
【００１９】
第２の手段に係る発明によれば、回動板２４を、指係止部２０の一方端部から孔軸方向へ突出するとともに、回動板２４の内面及び指係止部２０の孔縁面１８ａ部分を、孔軸を含む切断面で見てなだらかに連続する平らな形に形成したから、金型成型するときに型抜きが容易である。
【００２０】
第３の手段に係る発明によれば、回動板２４がリング開口面の面外方向Ｃへの突出状態と指係止部２０の孔縁部分との重なり状態との間を弾性反転するので、操作が容易である。
【００２１】
第４の手段に係る発明によれば、回動板２４を、指係止部２０の両端部のうち仕切り板１０と反対側の端部２０ａから突出したから、仕切り板が抜栓操作の際の邪魔にならない。
【００２２】
第５の手段に係る発明によれば、上記指係止部２０を、指掛け具１６のうち支持片１４との連結箇所と反対側に形成したから、指係止部２０に力を加え易い。
【発明を実施するための最良の形態】
【００２３】
図１から図３は、本発明の第１実施形態に係る容器用中栓を示している。まずこの中栓のうち従来公知の事柄について説明する。
【００２４】
この中栓は、栓筒２の外面から外向きフランジ４を介して装着筒６を垂下し、これら栓筒２の下半部と装着筒との間に容器の口頸部を挟持するように設けている。栓筒２の上端部は内向きフランジを介して、上端大径のノズル筒８の外面中間部に連結している。ノズル筒の下端面は仕切り板１０で閉塞しており、その外周部には破断線１２を穿設している。この破断線内方の仕切り板部分後側からは、支持片１４を起立しており、この支持片の先端から、指掛け具（プルリング）１６を上前方へ突出している。この指掛け具は、上下方向にリング孔１８を開通している。この中栓は合成樹脂材で一体成形することができる。
【００２５】
本発明においては、上記指掛け具１６の周方向一部である指係止部２０の上端部２０ａから、屈曲部２０を介して回動板２４を上外方へ突出している。
【００２６】
指係止部２０は、指掛け具１６のうち支持片１４との連結箇所と反対側に位置している。図示例では、指係止部２０は、指掛け具の他部分と同じ曲率中心を有する上面視円弧状である。指係止部２０と言っても、指掛け具の他部と異なる構造（巾や厚みなど）にする必要はない。
【００２７】
回動板２４は、指係止部２０の内面とほぼ面一の内面を有し、屈曲部２２を中心に弾性反転させたときに、それら各内面が当接し、或いは僅かの隙間を存して向かい合った状態で、その状態を維持するように構成している。回動板２４の外面には、横方向の複数のリブ２６を付設している。
【００２８】
上記構成に関して、この中栓を成形するときには、図５に模式的に示す如く、指掛け具１６を係止する第１、第２金型Ｍ１、Ｍ２のうちまず第１の金型Ｍ１を引き抜く。そうすると、指掛け具１６の内面は平らなので、金型Ｍ１をスムーズに抜き出すことができる。次に外側の金型Ｍ２を引き出すと、金型Ｍ１があった場所が空所になっているので、指掛け具及び指係止部が内方へ撓み、金型Ｍ２を引き出すことができる。
【００２９】
成形した後には、図１の状態から回動板を内方に折り込むと、図４(Ａ)〜（Ｃ）に示す順序で反転して、図３の如く指係止部の内側に確実にフィットする。この状態でこの中栓を容器の口頸部に装着する。中栓を開封するときには、図３の状態から指係止部及び回動板に指を掛けると、リブに指がしっかりと係止するので、そのままひっぱって仕切り板を破断させると良い。
【００３０】
以下、本発明の変形例及び他の実施形態の説明をする。それらの説明において、構成が第１実施形態と同じことについては同一の符号を付することで説明を省略する。
【００３１】
図６は、第１実施形態の変形例であり、指掛け具をＣ字形としたものである。一対の支持片１４，１４を仕切り板１０から起立し、その各上端部、Ｃ字形の両端部に連結している。
【００３２】
図７は、第２実施形態であり、指係止部２０の下端部２０ｂから下内方へ指係止部２０を突出したものである。
【図面の簡単な説明】
【００３３】
【図１】本発明の第1実施形態に係る中栓の縦断面図である。
【図２】図１の中栓の平面図である。
【図３】図１の中栓の作用を示す拡大縦断面図である。
【図４】図１の中栓の作用を示す斜視図である。
【図５】図１の中栓の金型成形の様子を示す説明図である。
【図６】図１の中栓の変形例を示す平面図である。
【図７】本発明の第２実施形態に係る中栓の要部拡大図である。
【符号の説明】
【００３４】
２…栓筒  ４…外向きフランジ  ６…装着筒  ８…ノズル筒  １０…仕切り板
１２…破断線  １４…支持片  １６…指掛け具  １８…リング孔  １８ａ…孔縁面
２０…指係止部  ２０ａ…同上端部  ２０ｂ…同下端部  ２２…屈曲部
２４…回動板  ２６…リブ
【図１】
2008213860.tif 000003
【図２】
2008213860.tif 000004
【図３】
2008213860.tif 000005
【図４】
2008213860.tif 000006
【図５】
2008213860.tif 000007
【図６】
2008213860.tif 000008
【図７】
2008213860.tif 000009